(57)【要約】【課題】並列した内外の基礎配筋に短時間で容易に正確にスリーブを固定できるスリーブ固定キット及びスリーブの固定方法を提供する。【解決手段】本発明は、上記課題を解決するため、スリーブを位置させる窪みを形成する上固定部、前記上固定部の左右両端に直線状に連設する左右上枠よりなる上枠体と、前記上固定部の反対方向に拡張する下保持部、前記下保持部の左右両端に直線状に連設する左右下枠よりなる下枠体と、前記上下枠体の一端を連結する折返し部とからなることを特徴とするスリーブ固定部材と、基礎配筋を挟む上下挟持部と、前記上下挟持部の間に形成されるスリーブ固定部材を載せる受け部と、前記上下挟持部を同時に開閉させる摘み部とからなるクリップと、前記スリーブ固定部材に固定されるスリーブの中心が左右下枠の延長線上に位置することを特徴とするスペーサーとからなるスリーブ固定キットとそれを使用したスリーブの固定方法の構成とした。【選択図】図１７
2010242407.tif 000002
【特許請求の範囲】
【請求項１】
スリーブを位置させる窪みを形成する上固定部、前記上固定部の左右両端に直線状に連設する左右上枠よりなる上枠体と、前記上固定部の反対方向に拡張する下保持部、前記下保持部の左右両端に直線状に連設する左右下枠よりなる下枠体と、前記上下枠体の一端を連結する折返し部と、からなり、前記上固定部と前記下保持部の間にスリーブを位置させることを特徴とするスリーブ固定部材。
【請求項２】
前記左上下枠を、前記右上下枠よりも短い左上下枠としたことを特徴とする請求項１に記載のスリーブ固定部材。
【請求項３】
前記上固定部を、略半円形、２辺からなる角状または３辺からなる台形状のいずれかとしたことを特徴とする請求項１または請求項２に記載のスリーブ固定部材。
【請求項４】
前記下保持部を、略半円状、２辺からなる角状または３辺からなる台形状のいずれかとしたことを特徴とする請求項１乃至請求項３のいずれか１項に記載のスリーブ固定部材。
【請求項５】
前記上固定部を、１箇所または複数箇所に平坦部を形成した上固定部としたことを特徴とする請求項１乃至請求項４のいずれか１項に記載のスリーブ固定部材。
【請求項６】
前記下保持部を、１箇所または複数箇所に平坦部を形成した下保持部としたことを特徴とする請求項１乃至請求項５のいずれか１項に記載のスリーブ固定部材。
【請求項７】
前記左右下枠を、左右下枠の上面同士を結ぶ線がスリーブ固定部材により固定されるスリーブの中心を通ることを特徴とする請求項１乃至請求項６のいずれか１項に記載のスリーブ固定部材。
【請求項８】
前記上枠体、下枠体、折返し部を、１本の棒を折曲げて成型したことを特徴とする請求項１乃至請求項７のいずれか１項に記載のスリーブ固定部材。
【請求項９】
請求項１乃至請求項８のいずれか１項に記載のスリーブ固定部材を、基礎配筋に仮止めするためのクリップ。
【請求項１０】
基礎配筋を挟む上下挟持部と、前記上下挟持部の間に形成されるスリーブ固定部材を載せる受け部と、前記上下挟持部を同時に開閉させる摘み部と、からなることを特徴とする
請求項９に記載のクリップ。
【請求項１１】
前記上挟持部を、中央付近に外方に向かって湾曲し基礎配筋が位置する左上挟持部を形成し、前記左上挟持部の前後上面に上湾曲部を凹んだ状態で形成し、先端部底面にストッパ突起を形成した左上アームと、中央付近に外方に向かって湾曲し基礎配筋が位置するた右上挟持部を形成し、前記右上挟持部の前後上面に上湾曲部を凹んだ状態で形成し、先端部底面にストッパ突起を形成した右アームと、からなる上挟持部としたことを特徴とする請求項１０に記載のクリップ。
【請求項１２】
前記下挟持部を、中央付近に外方に向かって湾曲し基礎配筋が位置する左下挟持部を形成し、前記左下挟持部の前後下面に下湾曲部を凹んだ状態で形成し、先端部上面にストッパ突起を形成した左下アームと、中央付近に外方に向かって湾曲し基礎配筋が位置する右下挟持部を形成し、前記右下挟持部の前後下面に下湾曲部を凹んだ状態で形成し、先端部上面にストッパ突起を形成した右下アームとからなる下挟持部としたことを特徴とする請求項１０または請求項１１に記載のクリップ。
【請求項１３】
前記摘み部を、孔を穿設した２つの外連結部を内壁面に形成した左摘み部と、孔を穿設し前記外連結部間に挿通される２つの内連結部を内壁面に形成した右摘み部と、前記孔内に挿通し、回動可能に保持される連結軸と、前記内連結部間に位置し、前記連結軸を挿通するスプリングと、からなる摘み部としたことを特徴とする請求項１０乃至請求項１２のいずれか１項に記載のクリップ。
【請求項１４】
前記受け部を、左上下アーム間に形成された左受け部と、右上下アーム間に形成された右受け部とからなる受け部としたことを特徴とする請求項１０乃至請求項１３のいずれか１項に記載のクリップ。
【請求項１５】
請求項１乃至請求項８のいずれか１項に記載のスリーブ固定部材の上固定部又は下保持部の一方又は両方に取付けて、スリーブ固定部材に固定されるスリーブの中心が左右下枠の延長線上になるように調整することを特徴とするスペーサー。
【請求項１６】
前記スペーサーを、直方体の正面に左面から右面にかけて凹条を形成し、前記凹条の上辺と上面の厚みと、前記凹条の下辺と底面の厚みと、前記凹条の中央頂点部と背面の厚みとが、それぞれ異なる断面略コの字状であることを特徴とする請求項１５に記載のスペーサー。
【請求項１７】
請求項１乃至請求項８のいずれか１項に記載のスリーブ固定部材と、請求項９乃至請求項１４のいずれか１項に記載のクリップと、請求項１５又は請求項１６に記載のスペーサーとからなり、基礎配筋にスリーブを仮止め及び固定することを特徴とするスリーブ固定キット。
【請求項１８】
（１）平行して並んだ格子状の基礎配筋上に、固定されるスリーブの中心位置に対応する固定位置をそれぞれ決め、（２）前記一方の固定位置に請求項１乃至請求項８のいずれか１項に記載のスリーブ固定部材の左右下枠の上面を合わせた状態で、前記スリーブ固定部材を保持し、前記スリーブ固定部材を請求項９乃至請求項１４のいずれか１項に記載のクリップ５で基礎配筋に仮止めし、（３）前記スリーブ固定部材を基礎配筋に仮止めした状態でスリーブ固定部材の左下枠と基礎配筋及び右下枠と基礎配筋を結束線で固定し、（４）同様の手順で相対する基礎配筋に同一方向から別の請求項１乃至請求項８のいずれか１項に記載のスリーブ固定部材を固定し、（５）前記一方のスリーブ固定部材の上固定部及び下保持部の間からスリーブを挿通して相対する他方のスリーブ固定部材の上固定部及び下保持部の間に前記スリーブの一端を挿通させ、（６）前記各クリップを外し、（７）前記各スリーブ固定部材の右上枠を挿通されたスリーブが上固定部と下保持部により締め付けられる状態となるまで下方に押し下げ、（８）前記右上下枠と基礎配筋を結束線で固定することを特徴とするスリーブの固定方法。
【請求項１９】
スリーブ固定部材にスリーブを挿通する前に、スリーブ固定部材の上固定部及び下保持部の一方又は両方に請求項１５又は１６に記載のスペーサーを取り付けることを特徴とする請求項１８に記載のスリーブ固定方法。
【請求項２０】
請求項１８又は請求項１９に記載のスリーブ固定方法によって、スリーブを配筋に固定した後、基礎配筋にコンクリートを打設して、コンクリートの壁面に貫通孔を形成する方法。
【発明の詳細な説明】
【技術分野】
【０００１】
本発明は、建物を建築する際の基礎配筋に配管や配線のためのスリーブを固定するスリーブ固定キット及びスリーブ固定キットを使用したスリーブの固定方法に関する。
【背景技術】
【０００２】
従来、建物の基礎配筋に配管や配線のためのスリーブを固定するには、並列した内外の基礎配筋に２人の作業員が対峙し、各基礎配筋間に固定するスリーブの縦位置や横位置を合わせながら取付作業をしていた。
【０００３】
しかしながら、従来の方法では、対峙した２人の作業員が各基礎配筋において、基礎配筋の縦軸に固定するスリーブの中心位置の目印を付け、その位置からスリーブの半径分下げた位置にスリーブの下側を固定するための横配筋を位置させてその横配筋を左右の基礎配筋と結束線で固定し、次にスリーブの横位置を決めてスリーブの両側を縦配筋で挟み各縦配筋を上下の基礎配筋と結束線で固定し、最後にスリーブの上側を固定するための横配筋を位置させてその横配筋を左右の基礎配筋と結束線で固定するため、１本のスリーブを固定するためにスリーブの中心となる位置やスリーブの下端となる位置又は左右端となる位置などいくつもの目印を基礎配筋にしなければならないため取り付けるまでに非常に時間がかかっていた。
【０００４】
また、上記のように１本のスリーブを固定するために２人の作業員がそれぞれの基礎配筋で作業するためスリーブを綺麗に固定することが難しく、コンクリート打設後に穿設された孔が曲がっていることや、各孔の位置がずれること、更に穿設位置自体が他の孔と大きく異なり作業のやり直しを余儀なくされることがあった。
【先行技術文献】
【特許文献】
【０００５】
【特許文献１】特開２００２−４７７９６号公報
【特許文献２】特開平１１−３３６３２０号公報
【特許文献３】特開平８−４２１４０号公報
【特許文献４】特開２００３−１０５９６９号公報
【発明の概要】
【発明が解決しようとする課題】
【０００６】
そこで、本発明は、並列した内外の基礎配筋に作業員１人で容易にスリーブを固定することができ、また基礎配筋の一方向から内外の基礎配筋にスリーブを固定することができるため短時間で固定することができ、更に従来よりもより正確な位置にスリーブを固定することができるスリーブ固定キット及びスリーブの固定方法を提供することを目的とするものである。
【課題を解決するための手段】
【０００７】
本発明は、上記の課題を解決するために、スリーブを位置させる窪みを形成する上固定部、前記上固定部の左右両端に直線状に連設する左右上枠よりなる上枠体と、前記上固定部の反対方向に拡張する下保持部、前記下保持部の左右両端に直線状に連設する左右下枠よりなる下枠体と、前記上下枠体の一端を連結する折返し部とからなり、前記上固定部と前記下保持部の間にスリーブを位置させることを特徴とするスリーブ固定部材と、
基礎配筋を挟む上下挟持部と、前記上下挟持部の間に形成されるスリーブ固定部材を載せる受け部と、前記上下挟持部を同時に開閉させる摘み部とからなり、前記スリーブ固定部材を基礎配筋に仮止めするためのクリップと、
前記スリーブ固定部材の上固定部又は下保持部の一方又は両方に取付けて、スリーブ固定部材に固定されるスリーブの中心が左右下枠の延長線上になるように調整することを特徴とするスペーサーと、
前記スリーブ固定部材、クリップ及びスペーサーを使用したスリーブの固定方法の構成とした。
【発明の効果】
【０００８】
本発明であるスリーブ固定キットは１人の作業員で並列している内外の基礎配筋の一方向からスリーブ固定作業をすることができるため、従来のように一つのスリーブを固定するために２人で作業する必要がなく、各作業員は別々の位置からスリーブ固定作業をすることができ、建築現場におけるスリーブ固定の行程を短くすることができる。
【０００９】
また、基礎配筋に固定するスリーブの中心位置を記すだけで正確な位置にスリーブを固定することができるため、従来のようにスリーブの中心位置からスリーブの半径分の距離を計測して別の印を付す必要がない。
【００１０】
また、一つのスリーブ固定部材でスリーブを固定することができるため、従来のように一つのスリーブを固定するために長さの異なる配筋を複数用意し、それぞれを基礎配筋に固定するという煩雑な作業が不要である。
【００１１】
また、クリップによってスリーブ固定部材を簡単に仮止めすることができるため、従来のように結束線で基礎配筋に固定している最中にズレたりすることがなく、常に正確な位置にスリーブを固定することができる。
【００１２】
また、配線や配管のために穿設する孔の径が同じであっても塩ビスリーブと紙製スリーブでは外径が異なるためスリーブ固定の際の目印付けに修正を加える必要があったが、本発明では専用のスペーサーをワンタッチで着脱することで塩ビスリーブにも紙製スリーブにも対応することができ、基礎配筋にスリーブの中心位置のみを記すだけで正確にスリーブを固定することができる効果は変わらない。
【００１３】
更に、床面側の基礎配筋においても簡単にしっかりとスリーブを固定することができる。
【図面の簡単な説明】
【００１４】
【図１】本発明であるスリーブ固定キットを構成するスリーブ固定部材の正面図である。
【図２】本発明であるスリーブ固定キットを構成するスリーブ固定部材の第２実施例の正面図である。
【図３】本発明であるスリーブ固定キットを構成するスリーブ固定部材の第３実施例の正面図である。
【図４】本発明であるスリーブ固定キットを構成するスリーブ固定部材の第４実施例の正面図である。
【図５】本発明であるスリーブ固定キットを構成するスリーブ固定部材の第５実施例の正面図である。
【図６】本発明であるスリーブ固定キットを構成するスリーブ固定部材の第６実施例の正面図である。
【図７】本発明であるスリーブ固定キットを構成するスリーブ固定部材の第７実施例の正面図である。
【図８】本発明であるスリーブ固定キットを構成するスリーブ固定部材の第８実施例の正面図である。
【図９】本発明であるスリーブ固定キットを構成するスリーブ固定部材の第９実施例の正面図である。
【図１０】本発明であるスリーブ固定キットを構成するスリーブ固定部材の第１０実施例の正面図である。
【図１１】本発明であるスリーブ固定キットを構成するクリップの斜視図である。
【図１２】本発明であるスリーブ固定キットを構成するクリップの平面図である。
【図１３】本発明であるスリーブ固定キットを構成するクリップの右側面図である。
【図１４】本発明であるスリーブ固定キットを構成するクリップの背面図である。
【図１５】本発明であるスリーブ固定キットを構成するスペーサーの正面図である。
【図１６】本発明であるスリーブ固定キットを構成するスペーサーの右側面図である。
【図１７】本発明であるスリーブ固定キットを使用した状態を示した斜視図である。
【図１８】本発明であるスリーブ固定キットを使用した状態を示した拡大図である。
【図１９】本発明であるスリーブ固定キットを使用した状態を示した拡大図である。
【図２０】本発明であるスリーブ固定キットを使用した状態を示した斜視図である。
【発明を実施するための形態】
【００１５】
以下に、添付図面に基づいて、本発明であるスリーブ固定キット及びそれを使用したスリーブの固定方法について詳細に説明する。先ず、図１から図１０を使用してスリーブ固定キットを構成するスリーブ固定部材を説明することとする。
【実施例１】
【００１６】
図１は本発明であるスリーブ固定キットを構成するスリーブ固定部材の正面図である。尚、図１の（１）はスリーブ固定部材の正面図、（２）は前記スリーブ固定部材の塩ビスリーブを取り付けた状態を示した正面図、（３）は前記スリーブ固定部材に紙製スリーブを取り付けた状態を示した正面図である。
【００１７】
図１に示すように、本発明であるスリーブ固定部材１は、１本の枠体２を折り曲げて、スリーブを位置させる窪みを形成する上固定部２ｆ、前記上固定部２ｆの左右両端に直線状に連設する左右上枠２ａ、２ｂよりなる上枠体２ｊと、前記上固定部２ｆの反対方向に拡張する下保持部２ｇ、前記下保持部２ｇの左右両端に直線状に連設する左右下枠２ｃ、２ｄよりなる下枠体２ｋと、前記上下枠体２ｊ、２ｋの一端を連結する折返し部２ｅとを形成してなり、前記上固定部２ｆと前記下保持部２ｇの間にスリーブを位置させる。
【００１８】
図１に示すように、前記左上下枠２ａ、２ｃは前記右上下枠２ｂ、２ｄよりも短く、基礎配筋に固定するスリーブが右よりの位置に取り付けるために左上下枠２ａ、２ｃの長さが足りない場合は、スリーブ固定部材１を左右逆向きに使用することができ、余計なスリーブ固定部材を用意する必要がない。
【００１９】
前記上固定部２ｆは、３辺からなる台形状をしており、前記下保持部２ｇは略半円形をしている。このようにすることで相対する位置に上固定部２ｆと下保持部２ｇが位置しているために起こりうるスリーブ固定部材の上下の間違いを防ぐことができる。
【００２０】
但し、この形状の違いは限定したものではなく、上固定部２ｆ、下保持部２ｇともに３辺からなら台形状又は略半円形としてもよく、また、上固定部２ｆを略半円形とし下保持部２ｇを３辺からなる台形状としても構わない。
【００２１】
前記下保持部２ｇの中央頂点部分には後に説明するスペーサーを取り付けるための平坦部２ｈが形成されている。但し、下保持部２ｇの形状によっては平坦部２ｈを設けない場合もある。
【００２２】
図１（２）に示すように、上固定部２ｆと下保持部２ｇの中央同士を結ぶ線Ｂと左右下枠２ｃ、２ｄの上面同士を結ぶ線Ａの交差部２ｉは、スリーブ固定部材１に取り付ける塩ビスリーブ３の中心３ｂと同じ位置となる。
【００２３】
また、図１（３）に示すように、紙スリーブ３ａは塩ビスリーブ３より外径が小さいためスリーブ固定部材１をそのまま使用すると前記交差部２ｉと紙スリーブ３ａの中心３ｂがずれるので、平坦部２ｈの位置にスペーサー４を取り付けて使用する。このようにスペーサー４をワンタッチで取り付けるだけで紙スリーブ３ａの中心３ｂとスリーブ固定部材１の交差部２ｉを合わせることができる。
【実施例２】
【００２４】
図２は本発明であるスリーブ固定キットを構成するスリーブ固定部材の第２実施例の正面図である。尚、図２の（１）はスリーブ固定部材の正面図、（２）は前記スリーブ固定部材の塩ビスリーブを取り付けた状態を示した正面図、（３）は前記スリーブ固定部材に紙製スリーブを取り付けた状態を示した正面図である。
【００２５】
図２に示すように、本発明であるスリーブ固定部材１ａは、実施例１で示したスリーブ固定部材１とほぼ同じ構造をしている。即ち、１本の枠体２を折り曲げて、スリーブを位置させる窪みを形成する上固定部２ｆ、前記上固定部２ｆの左右両端に直線状に連設する左右上枠２ａ、２ｂよりなる上枠体２ｊと、前記上固定部２ｆの反対方向に拡張する下保持部２ｇ、前記下保持部２ｇの左右両端に直線状に連設する左右下枠２ｃ、２ｄよりなる下枠体２ｋと、前記上下枠体２ｊ、２ｋの一端を連結する折返し部２ｅとを形成してなり、前記上固定部２ｆと前記下保持部２ｇの間にスリーブを位置させる。
【００２６】
図２に示すように、スリーブ固定部材１ａは実施例１のスリーブ固定部材１で固定するスリーブよりも径の大きいスリーブを固定するため、上固定枠２ｆと下保持枠２ｇの形状が大きめに形成されている。また、左上下枠２ａ、２ｃと右上下枠２ｂ、２ｄの長さはほぼ同じであるが、特に限定したものではなく実施例１のスリーブ固定部材１のように左上下枠２ａ、２ｃの方が右上下枠２ｂ、２ｄよりも短くなっていても構わない。
【００２７】
前記上固定部２ｆは、３辺からなる台形状をしており、前記下保持部２ｇは略半円形をしている。このようにすることで相対する位置に上固定部２ｆと下保持部２ｇが位置しているために起こりうるスリーブ固定部材の上下の間違いを防ぐことができる。
【００２８】
但し、この形状の違いは限定したものではなく、上固定部２ｆ、下保持部２ｇともに３辺からなら台形状又は略半円形としてもよく、また、上固定部２ｆを略半円形とし下保持部２ｇを３辺からなる台形状としても構わない。
【００２９】
上記のようにスリーブ固定部材１ａでは上固定枠２ｆが大きく形成されているため、上固定枠２ｆの３つの辺のうち、両辺には平坦部２ｈを設けてスペーサー４を取り付けることができる構造とした。
【００３０】
また、図２に示すように、前記下保持部２ｇについても同様に大きく形成されているため、平坦部２ｈを２箇所設けてスペーサー４を取り付けることができる構造とした。
【００３１】
前記上固定部２ｆ及び下固定部２ｇに設けた平坦部２ｈの数及び位置については限定したものではなく、また取り付けない場合もある。
【００３２】
また実施例１と同様に、上固定部２ｆと下保持部２ｇの中央同士を結ぶ線Ｂと左右下枠２ｃ、２ｄの上面同士を結ぶ線Ａの交差部２ｉは、スリーブ固定部材１ａに取り付ける塩ビスリーブ３の中心３ｂと同じ位置となり、紙スリーブ３ａを取り付ける場合は、図２（３）に示すように、平坦部２ｈの位置にスペーサー４を取り付けて紙スリーブ３ａの中心３ｂと交差部２ｉの位置を同じにして使用する。
【実施例３】
【００３３】
図３は本発明であるスリーブ固定キットを構成するスリーブ固定部材の第３実施例の正面図である。尚、図３の（１）はスリーブ固定部材の正面図、（２）は前記スリーブ固定部材の塩ビスリーブを取り付けた状態を示した正面図、（３）は前記スリーブ固定部材に紙製スリーブを取り付けた状態を示した正面図である。
【００３４】
図３に示すように、本発明であるスリーブ固定部材１ｂは、実施例１及び実施例２で示したスリーブ固定部材１、１ａとほぼ同じ構造をしている。即ち、１本の枠体２を折り曲げて、スリーブを位置させる窪みを形成する上固定部２ｆ、前記上固定部２ｆの左右両端に直線状に連設する左右上枠２ａ、２ｂよりなる上枠体２ｊと、前記上固定部２ｆの反対方向に拡張する下保持部２ｇ、前記下保持部２ｇの左右両端に直線状に連設する左右下枠２ｃ、２ｄよりなる下枠体２ｋと、前記上下枠体２ｊ、２ｋの一端を連結する折返し部２ｅとを形成してなり、前記上固定部２ｆと前記下保持部２ｇの間にスリーブを位置させる。
【００３５】
図３に示すように、スリーブ固定部材１ｂは実施例１及び２のスリーブ固定部材１、１ａで固定するスリーブよりも更に径の大きいスリーブを固定するため、上固定枠２ｆと下保持枠２ｇの形状が大きく形成されている。また、左上下枠２ａ、２ｃと右上下枠２ｂ、２ｄの長さはほぼ同じであるが、特に限定したものではなく実施例１のスリーブ固定部材１のように左上下枠２ａ、２ｃの方が右上下枠２ｂ、２ｄよりも短くなっていても構わない。
【００３６】
前記上固定部２ｆは、３辺からなる台形状をしており、前記下保持部２ｇは略半円形をしている。このようにすることで相対する位置に上固定部２ｆと下保持部２ｇが位置しているために起こりうるスリーブ固定部材の上下の間違いを防ぐことができる。
【００３７】
但し、この形状の違いは限定したものではなく、上固定部２ｆ、下保持部２ｇともに３辺からなら台形状又は略半円形としてもよく、また、上固定部２ｆを略半円形とし下保持部２ｇを３辺からなる台形状としても構わない。
【００３８】
上記のようにスリーブ固定部材１ｂでは上固定枠２ｆが大きく形成されているため、上固定枠２ｆの３つの辺のうち、両辺には平坦部２ｈを設けてスペーサー４を取り付けることができる構造とした。
【００３９】
また、図３に示すように、前記下保持部２ｇについても同様に大きく形成されているため、平坦部２ｈを２箇所設けてスペーサー４を取り付けることができる構造とした。
【００４０】
前記上固定部２ｆ及び下固定部２ｇに設けた平坦部２ｈの数及び位置については限定したものではなく、また取り付けない場合もある。
【００４１】
また実施例１及び２と同様に、上固定部２ｆと下保持部２ｇの中央同士を結ぶ線Ｂと左右下枠２ｃ、２ｄの上面同士を結ぶ線Ａの交差部２ｉは、スリーブ固定部材１ｂに取り付ける塩ビスリーブ３の中心３ｂと同じ位置となり、紙スリーブ３ａを取り付ける場合は、図３（３）に示すように、平坦部２ｈの位置にスペーサー４を取り付けて紙スリーブ３ａの中心３ｂと交差部２ｉの位置を同じにして使用する。
【実施例４】
【００４２】
図４は本発明であるスリーブ固定キットを構成するスリーブ固定部材の第４実施例の正面図である。尚、図４の（１）はスリーブ固定部材の正面図、（２）は前記スリーブ固定部材の塩ビスリーブを取り付けた状態を示した正面図、（３）は前記スリーブ固定部材に紙製スリーブを取り付けた状態を示した正面図である。
【００４３】
図４に示したスリーブ固定部材１ｃは、実施例１で示したスリーブ固定部材１とほぼ同じ構造をしている。即ち、１本の枠体２を折り曲げて、スリーブを位置させる窪みを形成する上固定部２ｆ、前記上固定部２ｆの左右両端に直線状に連設する左右上枠２ａ、２ｂよりなる上枠体２ｊと、前記上固定部２ｆの反対方向に拡張する下保持部２ｇ、前記下保持部２ｇの左右両端に直線状に連設する左右下枠２ｃ、２ｄよりなる下枠体２ｋと、前記上下枠体２ｊ、２ｋの一端を連結する折返し部２ｅとを形成してなり、前記上固定部２ｆ及び下保持部２ｇがともに略半円形をしており、左上下枠２ａ、２ｃが右上下枠２ｂ、２ｄよりも短く、更に下保持部２ｇの中央に平坦部２ｈを形成している。
【実施例５】
【００４４】
図５は本発明であるスリーブ固定キットを構成するスリーブ固定部材の第５実施例の正面図である。尚、図５の（１）はスリーブ固定部材の正面図、（２）は前記スリーブ固定部材の塩ビスリーブを取り付けた状態を示した正面図、（３）は前記スリーブ固定部材に紙製スリーブを取り付けた状態を示した正面図である。
【００４５】
図５に示したスリーブ固定部材１ｄは、実施例２で示したスリーブ固定部材１ａとほぼ同じ構造をしている。即ち、１本の枠体２を折り曲げて、スリーブを位置させる窪みを形成する上固定部２ｆ、前記上固定部２ｆの左右両端に直線状に連設する左右上枠２ａ、２ｂよりなる上枠体２ｊと、前記上固定部２ｆの反対方向に拡張する下保持部２ｇ、前記下保持部２ｇの左右両端に直線状に連設する左右下枠２ｃ、２ｄよりなる下枠体２ｋと、前記上下枠体２ｊ、２ｋの一端を連結する折返し部２ｅとを形成してなり、前記上固定部２ｆ及び下保持部２ｇがともに略半円形をしており、左上下枠２ａ、２ｃと右上下枠２ｂ、２ｄの長さがほぼ同じく、更に上固定部２ｆの中央に平坦部２ｈを形成している。
【実施例６】
【００４６】
図６は本発明であるスリーブ固定キットを構成するスリーブ固定部材の第６実施例の正面図である。尚、図６の（１）はスリーブ固定部材の正面図、（２）は前記スリーブ固定部材の塩ビスリーブを取り付けた状態を示した正面図、（３）は前記スリーブ固定部材に紙製スリーブを取り付けた状態を示した正面図である。
【００４７】
図６に示したスリーブ固定部材１ｅは、実施例３で示したスリーブ固定部材１ｂとほぼ同じ構造をしている。即ち、１本の枠体２を折り曲げて、スリーブを位置させる窪みを形成する上固定部２ｆ、前記上固定部２ｆの左右両端に直線状に連設する左右上枠２ａ、２ｂよりなる上枠体２ｊと、前記上固定部２ｆの反対方向に拡張する下保持部２ｇ、前記下保持部２ｇの左右両端に直線状に連設する左右下枠２ｃ、２ｄよりなる下枠体２ｋと、前記上下枠体２ｊ、２ｋの一端を連結する折返し部２ｅとを形成してなり、前記上固定部２ｆ及び下保持部２ｇがともに略半円形をしており、左上下枠２ａ、２ｃと右上下枠２ｂ、２ｄの長さがほぼ同じく、更に上固定部２ｆに複数の平坦部２ｈを形成している。
【００４８】
上記実施例４、５及び６で示したスリーブ固定部材１ｃ、１ｄ、１ｅは実施例１のスリーブ固定部材１と同様に、上固定部２ｆと下保持部２ｇの中央同士を結ぶ線Ｂと左右下枠２ｃ、２ｄの上面同士を結ぶ線Ａの交差部２ｉは、スリーブ固定部材１ｃ、１ｄ及び１ｅに取り付ける塩ビスリーブ３の中心３ｂと同じ位置となり、紙スリーブ３ａを取り付ける場合は、図４、５、６の（３）に示すように、平坦部２ｈの位置にスペーサー４を取り付けて紙スリーブ３ａの中心３ｂと交差部２ｉの位置を同じにして使用する。
【実施例７】
【００４９】
図７は本発明であるスリーブ固定キットを構成するスリーブ固定部材の第７実施例の正面図である。尚、図７の（１）はスリーブ固定部材の正面図、（２）は前記スリーブ固定部材の塩ビスリーブを取り付けた状態を示した正面図、（３）は前記スリーブ固定部材に紙製スリーブを取り付けた状態を示した正面図である。
【００５０】
図７に示したスリーブ固定部材１ｆは、実施例１、４で示したスリーブ固定部材１、１ｃとほぼ同じ構造をしている。即ち、１本の枠体２を折り曲げて、スリーブを位置させる窪みを形成する上固定部２ｆ、前記上固定部２ｆの左右両端に直線状に連設する左右上枠２ａ、２ｂよりなる上枠体２ｊと、前記上固定部２ｆの反対方向に拡張する下保持部２ｇ、前記下保持部２ｇの左右両端に直線状に連設する左右下枠２ｃ、２ｄよりなる下枠体２ｋと、前記上下枠体２ｊ、２ｋの一端を連結する折返し部２ｅとを形成してなり、前記上固定部２ｆ及び下保持部２ｇがともに２辺からなる角状をしており、左上下枠２ａ、２ｃが右上下枠２ｂ、２ｄよりも短い。
【実施例８】
【００５１】
図８は本発明であるスリーブ固定キットを構成するスリーブ固定部材の第８実施例の正面図である。尚、図８の（１）はスリーブ固定部材の正面図、（２）は前記スリーブ固定部材の塩ビスリーブを取り付けた状態を示した正面図、（３）は前記スリーブ固定部材に紙製スリーブを取り付けた状態を示した正面図である。
【００５２】
図８に示したスリーブ固定部材１ｇは、実施例２、５で示したスリーブ固定部材１ａ、１ｄとほぼ同じ構造をしている。即ち、１本の枠体２を折り曲げて、スリーブを位置させる窪みを形成する上固定部２ｆ、前記上固定部２ｆの左右両端に直線状に連設する左右上枠２ａ、２ｂよりなる上枠体２ｊと、前記上固定部２ｆの反対方向に拡張する下保持部２ｇ、前記下保持部２ｇの左右両端に直線状に連設する左右下枠２ｃ、２ｄよりなる下枠体２ｋと、前記上下枠体２ｊ、２ｋの一端を連結する折返し部２ｅとを形成してなり、前記上固定部２ｆ及び下保持部２ｇがともに２辺からなる角状をしており、左上下枠２ａ、２ｃと右上下枠２ｂ、２ｄの長さがほぼ同じである。
【実施例９】
【００５３】
図９は本発明であるスリーブ固定キットを構成するスリーブ固定部材の第９実施例の正面図である。尚、図９の（１）はスリーブ固定部材の正面図、（２）は前記スリーブ固定部材の塩ビスリーブを取り付けた状態を示した正面図、（３）は前記スリーブ固定部材に紙製スリーブを取り付けた状態を示した正面図である。
【００５４】
図９に示したスリーブ固定部材１ｈは、実施例３、６で示したスリーブ固定部材１ｂ、１ｅとほぼ同じ構造をしている。即ち、１本の枠体２を折り曲げて、スリーブを位置させる窪みを形成する上固定部２ｆ、前記上固定部２ｆの左右両端に直線状に連設する左右上枠２ａ、２ｂよりなる上枠体２ｊと、前記上固定部２ｆの反対方向に拡張する下保持部２ｇ、前記下保持部２ｇの左右両端に直線状に連設する左右下枠２ｃ、２ｄよりなる下枠体２ｋと、前記上下枠体２ｊ、２ｋの一端を連結する折返し部２ｅとを形成してなり、前記上固定部２ｆ及び下保持部２ｇがともに２辺からなる角状をしており、左上下枠２ａ、２ｃと右上下枠２ｂ、２ｄの長さがほぼ同じである。
【実施例１０】
【００５５】
図１０は本発明であるスリーブ固定キットを構成するスリーブ固定部材の第１０実施例の正面図である。尚、図１０の（１）はスリーブ固定部材の正面図、（２）は前記スリーブ固定部材の塩ビスリーブを取り付けた状態を示した正面図、（３）は前記スリーブ固定部材に紙製スリーブを取り付けた状態を示した正面図である。
【００５６】
図８に示したスリーブ固定部材１ｉは、実施例２、５、８で示したスリーブ固定部材１ａ、１ｄ、１ｇとほぼ同じ構造をしている。即ち、１本の枠体２を折り曲げて、スリーブを位置させる窪みを形成する上固定部２ｆ、前記上固定部２ｆの左右両端に直線状に連設する左右上枠２ａ、２ｂよりなる上枠体２ｊと、前記上固定部２ｆの反対方向に拡張する下保持部２ｇ、前記下保持部２ｇの左右両端に直線状に連設する左右下枠２ｃ、２ｄよりなる下枠体２ｋと、前記上下枠体２ｊ、２ｋの一端を連結する折返し部２ｅとを形成してなり、前記上固定部２ｆ及び下保持部２ｇがともに３辺からなる台形状をしており、左上下枠２ａ、２ｃの長さが右上下枠２ｂ、２ｄの長さよりも短い。
【００５７】
上記実施例７、８、９及び１０で示したスリーブ固定部材１ｆ、１ｇ、１ｈ、１ｉは実施例１のスリーブ固定部材１と同様に、上固定部２ｆと下保持部２ｇの中央同士を結ぶ線Ｂと左右下枠２ｃ、２ｄの上面同士を結ぶ線Ａの交差部２ｉは、スリーブ固定部材１ｆ、１ｇ及び１ｈに取り付ける塩ビスリーブ３の中心３ｂと同じ位置となり、紙スリーブ３ａを取り付ける場合は、図７、８、９、１０の（３）に示すように、スペーサー４を取り付けて紙スリーブ３ａの中心３ｂと交差部２ｉの位置を同じにして使用する。
【００５８】
尚、実施例７、８、９及び１０に示したスリーブ固定部材１ｆ、１ｇ、１ｈ、１ｉについては上固定部２ｆ及び下保持部２ｇが全て直線の辺で構成されているため特に平坦部２ｈを設けずに各辺に直接スペーサー４を取り付けた状態を（３）に図示した。但し、実施例１から実施例６で示したように平坦部２ｈを別途設けてスペーサー４の取付位置を限定しても構わない。
【００５９】
次に図１１から図１４を使用して本発明であるスリーブ固定キットを構成するクリップを説明することとする。
【００６０】
図１１は本発明であるスリーブ固定キットを構成するクリップの斜視図、図１２はクリップの平面図、図１３はクリップの右側面図、図１４はクリップの背面図である。
【００６１】
図１１から図１４に示すように、本発明であるスリーブ固定キットを構成するクリップ５は、基礎配筋を挟む上下挟持部５ａ、５ｂと、前記上下挟持部５ａ、５ｂの間に形成されるスリーブ固定部材を載せる受け部５ｄと、前記上下挟持部５ａ、５ｂを同時に開閉させる摘み部５ｃとからなり、前記スリーブ固定部材１〜１ｉを基礎配筋に仮止めする。
【００６２】
前記上挟持部５ａは、中央付近に外方に向かって湾曲し基礎配筋が位置する左上挟持部６ｄを形成し、前記左上挟持部６ｄの前後上面に上湾曲部６ｆを凹んだ状態で形成し、先端部底面にストッパ突起６ｈを形成した左上アーム６ａと、中央付近に外方に向かって湾曲し基礎配筋が位置するた右上挟持部７ｄを形成し、前記右上挟持部７ｄの前後上面に上湾曲部７ｆを凹んだ状態で形成し、先端部底面にストッパ突起７ｈを形成した右アーム７ａとからなる。
【００６３】
また、前記左上挟持部６ｄの後部から左摘み６ｃ前部にかけては補強部６ｊが形成されており、同様に右上挟持部７ｄの後部から右摘み７ｃ前部にかけても補強部７ｊが形成されている。
【００６４】
前記下挟持部５ｂは、中央付近に外方に向かって湾曲し基礎配筋が位置する左下挟持部６ｅを形成し、前記左下挟持部６ｅの前後下面に下湾曲部６ｇを凹んだ状態で形成し、先端部上面にストッパ突起６ｈを形成した左下アーム６ｂと、中央付近に外方に向かって湾曲し基礎配筋が位置する右下挟持部７ｅを形成し、前記右下挟持部７ｅの前後下面に下湾曲部７ｇを凹んだ状態で形成し、先端部上面にストッパ突起７ｈを形成した右下アーム７ｂとからなる。
【００６５】
また、左下挟持部６ｅの後部から左摘み６ｃ前部にかけては補強部６ｊが形成されており、同様に右下挟持部７ｅの後部から右摘み７ｃ前部にかけても補強部７ｊが形成されている。
【００６６】
尚、前記上下湾曲部６ｆ、７ｆ、６ｇ、７ｇは略半円型状をしているが、特に限定したものではなく、数辺からなる角型状であっても構わない。
【００６７】
前記摘み部５ｃは、孔６ｌを穿設した２つの外連結部６ｋを内壁面に形成した左摘み部６ｃと、孔７ｌを穿設し前記外連結部６ｋ間に挿通される２つの内連結部７ｋを内壁面に形成した右摘み部７ｃと、前記孔６ｌ、７ｌ内に挿通し、回動可能に保持される連結軸８ａと、前記内連結部７ｋ間に位置し、前記連結軸を挿通するスプリング８とからなる。
【００６８】
前記受け部５ｄは、左上下アーム６ａ、６ｂ間に形成された左受け部６ｉと、右上下アーム７ａ、７ｂ間に形成された右受け部７ｉとからなる。
【００６９】
図１１及び図１２に示すように、前記左右上挟持部６ｄ、７ｄの内壁面及び左右下挟持部６ｅ、７ｅの内壁面は３辺からなる台形状の凹条が形成されており、左右上アーム６ａ、７ａを閉じた状態及び左右下アーム６ｂ、７ｂを閉じた状態を平面からみると略六角形上の孔となっている。
【００７０】
図１２及び図１４に示すように、クリップ５の摘み部５ｃを摘んで左右摘み６ｃ、７ｃを近づけると左右上アーム６ａ、７ａ間、左右下アーム６ｂ、７ｂ間、左右上挟持部６ｄ、７ｄ間及び左右下挟持部６ｅ、７ｅ間がそれぞれ開き、前記左右上挟持部６ｄ、７ｄの間及び左右下挟持部６ｅ、７ｅの間に基礎配筋を挟むことができる。
【００７１】
次に図１５、１６を使用して本発明であるスリーブ固定キットのスペーサーを説明することとする。図１５は本発明であるスリーブ固定キットを構成するスペーサーの正面図、図１６はスペーサーの右側面図である。
【００７２】
図１５及び図１６に示すように、本発明であるスリーブ固定キットを構成するスペーサー４は、直方体の正面に左面から右面にかけて凹条４ｇを形成し、前記凹条４ｇの上辺と上面の厚みＣと、前記凹条４ｇの下辺と底面４ｂの厚みＤと、前記凹条４ｇの中央頂点部と背面４ｆの厚みＥとがそれぞれ異なり、断面略コの字状をしている。
【００７３】
前記スペーサー４を実施例１から実施例１０で説明した各スリーブ固定部材１〜１ｉに取り付けるには凹条４ｇにスリーブ固定部材の一部をはめ込ませるだけでよく、後は固定する紙スリーブの径の大きさに応じてスペーサー４を回転させて厚みＣ、Ｄ、Ｅのいずれかを使用すればよい。
【００７４】
尚、特に限定するものではないが、紙スリーブの径が５０である場合は厚みＤ、径が７５、１００、１２５である場合は厚みＥ、径が１５０、２００である場合は厚みＣを使用するのが好ましい。
【００７５】
次に図１７から図２０を使用して本発明であるスリーブ固定キットを使用したスリーブの固定方法を説明することとする。図１７は本発明であるスリーブ固定キットを使用した状態を示した斜視図、図１８及び図１９はスリーブ固定キットを使用した状態を示した拡大図である。図２０はスリーブ固定キットを使用した状態を示した斜視図である。
【００７６】
図１７に示すように、本発明であるスリーブ固定キットを使用して基礎配筋にスリーブを取り付けるには、まず（１）平行して並んだ格子状の基礎配筋上に、固定されるスリーブの中心位置に対応する固定位置をそれぞれ決め、次に（２）前記一方の固定位置にスリーブ固定部材の左右下枠の上面を合わせた状態で、前記スリーブ固定部材を保持し、前記スリーブ固定部材をクリップ５で基礎配筋に仮止めする。続いて（３）前記スリーブ固定部材を基礎配筋に仮止めした状態でスリーブ固定部材の左下枠と基礎配筋及び右下枠と基礎配筋を結束線で固定し、（４）同様の手順で相対する基礎配筋に同一方向から別のスリーブ固定部材を固定し、（５）前記一方のスリーブ固定部材の上固定部及び下保持部の間からスリーブを挿通して相対する他方のスリーブ固定部材の上固定部及び下保持部の間に前記スリーブの一端を挿通させ、（６）前記各クリップを外し、（７）前記各スリーブ固定部材の右上枠を挿通されたスリーブが上固定部と下保持部により締め付けられる状態となるまで下方に押し下げ、（８）前記右上下枠と基礎配筋を結束線で固定する。
【００７７】
以上の手順で基礎配筋にスリーブを固定し終えたら、壁板等を配して通常のコンクリート打設を行えば良い。
【００７８】
上記の手順（１）では、まず並列した基礎配筋のいずれかの一方において、縦方向の基礎配筋９に固定するスリーブの中心位置を決める。このとき、基礎配筋９に印等を付けるとよい。次に（１）の行程で印をつけた位置にあわせてスリーブ固定部材１を取り付けるが、このときにスリーブ固定部材の左右下枠２ｃ、２ｄの上面と基礎配筋９に記した位置を合わせて左右上枠２ａ、２ｂをクリップ５で仮止めをする。また、スリーブ固定部材は基礎配筋間の内側から取り付けることが必要で、これを示した図が図１８及び図１９である。
【００７９】
図１８は、図１７のＦ方向から見た状態を拡大したものである。図１８に示すように、手前の基礎配筋においては、スリーブ固定部材１は内側から取り付けられているため図１８の左側に位置しており、スリーブ固定部材１をクリップ５で仮止めするには、左右上アーム６ａ、７ａと左右下アーム６ｂ、７ｂの先端側を使用して（２）の行程である仮止めすることとなる。
【００８０】
左右上アーム６ａ、７ａ及び左右下アーム６ｂ、７ｂの各先端には前述の通りストッパ突起６ｈ、７ｈが設けられているためスリーブ固定部材の左右上枠２ａ、２ｂがクリップ５から容易には滑り落ちることがなく、１人で簡単に（３）の行程である基礎配筋９と左下枠２ｃ及び基礎配筋９と右下枠２ｄを結束線等により固定することができる。
【００８１】
次に同様の（１）〜（３）の手順通りに他方の基礎配筋にスリーブ固定部材を取り付けるが、図１７における奥側の基礎配筋９にスリーブ固定部材を取り付けた状態をＧ方向から拡大して示したのが図１９である。
【００８２】
他方のスリーブ固定部材も奥側の基礎配筋９に取り付ける際には、基礎配筋の内側から取り付けなければならないので、図１９においてはスリーブ固定部材が基礎配筋９の右側に位置している。
【００８３】
この場合、クリップ５の受け部５ｄに左右上枠２ａ、２ｂを予め充てた状態にし、そのままクリップ５を基礎配筋９に取り付ける。このようにクリップ５を取り付けることでスリーブ固定部材の左右上枠２ａ、２ｂはクリップ５の受け部５ｃと基礎配筋９に挟まれた状態となり、しっかり仮止め状態を維持することができ、１人で簡単に左右下枠２ｃ、２ｄを基礎配筋９に結束線止めすることができる。
【００８４】
次に（５）の行程で相対する各スリーブ固定部材において、一方のスリーブ固定部材の上固定部及び下保持部の間からスリーブを挿通して相対する他方のスリーブ固定部材の上固定部及び下保持部の間に前記スリーブの一端を挿通させる。
【００８５】
使用するスリーブが紙スリーブである場合は、紙スリーブの中心３ｂと交差部２ｉがずれてしまうので、各平坦部２ｈにスペーサー４を取り付けてから紙スリーブを挿通する。
【００８６】
以上の状態から（６）の行程で各クリップ５を外しながら、（７）前記各スリーブ固定部材の右上枠を挿通されたスリーブが上固定部と下保持部により締め付けられる状態となるまで下方に押し下げて（８）前記右上下枠と基礎配筋を結束線で固定する。
【００８７】
（７）の行程のように、右上枠２ｂを押し下げることでスリーブがスリーブ固定部材によってしっかりと挟まれて固定状態が強化されるので、この状態を維持して右上枠２ｂと基礎配筋９を固定すればその後のコンクリート打設等を行ってもスリーブがズレる心配がない。尚、右上枠２ｂと基礎配筋９の固定については、右上枠２ｂと右下枠２ｄを一緒に基礎配筋９と固定することが望ましく、そのように一緒に固定することでスリーブ固定部材が緩む心配が軽減される。
【００８８】
図２０は床面の基礎配筋にスリーブ固定部材を使用した状態を示している。床面の基礎配筋にスリーブを固定する場合、枠板にスリーブを立てるため壁面の場合と違って固定はし易いが、従来の方法ではやはり無駄な手順が多く時間がかかっていた。
【００８９】
本発明のスリーブ固定部材を使用して基礎配筋にスリーブを固定するには、枠板上に載置されたスリーブにスリーブ固定部材を取り付け、左上下枠を一方の基礎配筋９ｄに固定し、右上枠を右下枠に引き寄せた状態で右上下枠を他方の基礎配筋９ｄに固定すればよい。
【産業上の利用可能性】
【００９０】
本発明であるスリーブ固定キットは、壁面、床面、或いは傾斜面の基礎配筋に作業員一人で簡単に正確にスリーブを固定することができるため、作業時間の短縮とコンクリート壁面、床面、傾斜面における孔の正確性等の向上に繋がり、建築現場において極めて有効である。
【符号の説明】
【００９１】
１〜１ｉ  スリーブ固定部材
２    枠体
２ａ  左上枠
２ｂ  右上枠
２ｃ  左下枠
２ｄ  右下枠
２ｅ  折返し部
２ｆ  上固定部
２ｇ  下保持部
２ｈ  平坦部
２ｉ  交差部
２ｊ  上枠体
２ｋ  下枠体
３    塩ビスリーブ
３ａ  紙スリーブ
３ｂ  中心
４    スペーサー
４ａ  上面
４ｂ  底面
４ｃ  左面
４ｄ  右面
４ｅ  正面
４ｆ  背面
４ｇ  凹条
５    クリップ
５ａ  上挟持部
５ｂ  下挟持部
５ｃ  摘み部
５ｄ  受け部
６    左クリップ
６ａ  左上アーム
６ｂ  左下アーム
６ｃ  左摘み
６ｄ  左上挟持部
６ｅ  左下挟持部
６ｆ  上湾曲部
６ｇ  下湾曲部
６ｈ  ストッパ突起
６ｉ  左受け部
６ｊ  補強部
６ｋ  外連結部
６ｌ  孔
７    右クリップ
７ａ  右上アーム
７ｂ  右下アーム
７ｃ  右摘み
７ｄ  右上挟持部
７ｅ  右下挟持部
７ｆ  上湾曲部
７ｇ  下湾曲部
７ｈ  ストッパ突起
７ｉ  右受け部
７ｊ  補強部
７ｋ  内連結部
７ｌ  孔
８    スプリング
８ａ  連結軸
９    基礎配筋
９ａ  基礎配筋
９ｂ  結束線
９ｃ  基礎配筋
９ｄ  基礎配筋
９ｅ  板
【図１】
2010242407.tif 000003
【図２】
2010242407.tif 000004
【図３】
2010242407.tif 000005
【図４】
2010242407.tif 000006
【図５】
2010242407.tif 000007
【図６】
2010242407.tif 000008
【図７】
2010242407.tif 000009
【図８】
2010242407.tif 000010
【図９】
2010242407.tif 000011
【図１０】
2010242407.tif 000012
【図１１】
2010242407.tif 000013
【図１２】
2010242407.tif 000014
【図１３】
2010242407.tif 000015
【図１４】
2010242407.tif 000016
【図１５】
2010242407.tif 000017
【図１６】
2010242407.tif 000018
【図１７】
2010242407.tif 000019
【図１８】
2010242407.tif 000020
【図１９】
2010242407.tif 000021
【図２０】
2010242407.tif 000022